(57)【要約】【課題】ＷＤＯが発生した場合であっても、ドロップアウト検出装置の誤動作を防ぎ、サーボの誤動作を防ぐことができる光ディスク装置を提供する。【解決手段】光ディスクに記録されている情報を再生した再生信号の明側を検波する高速ピーク検波回路と、再生信号の明側を高速ピーク検波回路と異なる時定数で検波する低速ピーク検波回路と、高速ピーク検波回路において検波された高速ピーク検波信号と、低速ピーク検波回路において検波された低速ピーク検波信号とを比較し、低速ピーク検波信号の電位が前記高速ピーク検波信号の電位よりも大きい場合に、ドロップアウト状態であると判断してドロップアウト検出信号を出力する比較器とを含み、リミッター回路を低速ピーク検波回路の後に備え、低速ピーク検波信号を所定の電位にクリップする。【選択図】　図１
2004071035.tif 000002
【特許請求の範囲】
【請求項１】
光ディスクに記録されている情報を再生した再生信号の明側を検波する高速ピーク検波回路と、
再生信号の明側を前記高速ピーク検波回路と異なる時定数で検波する低速ピーク検波回路と、
前記高速ピーク検波回路において検波された高速ピーク検波信号と、前記低速ピーク検波回路において検波された低速ピーク検波信号とを比較し、前記低速ピーク検波信号の電位が前記高速ピーク検波信号の電位よりも大きい場合に、ドロップアウト状態であると判断してドロップアウト検出信号を出力する比較器とを含み、
前記リミッター回路を前記低速ピーク検波回路の後に備え、前記低速ピーク検波信号を所定の電位にクリップすることを特徴とする光ディスク装置。
【請求項２】
前記リミッター回路を前記高速ピーク検波回路の後にも備え、前記高速ピーク検波信号についても所定の電位にクリップする請求項１記載の光ディスク装置。
【請求項３】
光ディスクに記録されている情報を再生した再生信号の明側を検波する高速ピーク検波回路と、
再生信号の明側を前記高速ピーク検波回路と異なる時定数で検波する低速ピーク検波回路と、
前記高速ピーク検波回路において検波された高速ピーク検波信号と、前記低速ピーク検波回路において検波された低速ピーク検波信号とを比較し、前記低速ピーク検波信号の電位が前記高速ピーク検波信号の電位よりも大きい場合に、ドロップアウト状態であると判断してドロップアウト検出信号を出力する比較器とを含み、
前記高速ピーク検波回路と前記低速ピーク検波回路の前に、反射光量増大により発生するドロップアウト信号を所定の電位にクリップするリミッター回路を挿入することを特徴とする光ディスク装置。
【請求項４】
光ディスクに記録されている情報を再生した再生信号の明側を検波する高速ピーク検波回路と、
再生信号の明側を前記高速ピーク検波回路と異なる時定数で検波する低速ピーク検波回路と、
前記高速ピーク検波回路において検波された高速ピーク検波信号と、前記低速ピーク検波回路において検波された低速ピーク検波信号とを比較し、前記低速ピーク検波信号の電位が前記高速ピーク検波信号の電位よりも大きい場合に、ドロップアウト状態であると判断してドロップアウト検出信号を出力する比較器と、
光ディスクに記録されている情報を再生した再生信号の中に未記録部分が存在している場合に前記未記録部分を検出する未記録部分検出回路とを含み、
前記未記録部分が検出された場合に、前記低速ピーク検波信号の電位をホールドすることを特徴とする光ディスク装置。
【請求項５】
前記未記録部分が検出された場合に、前記低速ピーク検波信号の電位のみならず、前記高速ピーク検波信号の電位もホールドする請求項４記載の光ディスク装置。
【発明の詳細な説明】
【０００１】
【発明の属する技術分野】
本発明は、ドロップアウト検出において誤検出が生じるのを未然に防止し、サーボの誤動作を未然に回避することができる光ディスク装置に関する。
【０００２】
【従来の技術】
近年、コンパクトディスク（以下、「ＣＤ」という。）の記録及び再生が実用化されている。ＣＤへの記録及び再生を高精度に行うためには、ドロップアウトを正確に検出する必要がある。ここで、光ディスク装置におけるドロップアウト検出とは、ディスク面上に塵や埃等の異物が付着すると信号が検出できずに途切れてしまう部分が生じる現象が発生するが、このような信号が途切れた部分を検出することを意味している。
【０００３】
以下、従来の光ディスク装置におけるドロップアウト検出方法について、図面を参照しながら説明する。図１６は、従来の光ディスク装置におけるドロップアウト検出装置のブロック図である。
【０００４】
図１６において、１は光ディスクから再生された再生信号を、２は再生信号１の明側を検波する高速ピーク検波回路を、３は再生信号１の明側を高速ピーク検波回路２よりも遅い時定数で検波する低速ピーク検波回路を、４は高速ピーク検波回路２及び低速ピーク検波回路３から得られた出力を比較する比較器を、それぞれ示している。
【０００５】
このように構成されたドロップアウト検出装置における実際の動作信号波形に基づいて、従来のドロップアウト検出方法について図１７を参照しながら説明する。
【０００６】
図１７において、波形ａ〜ｅは全て同一時間、同一地点における波形を示している。波形ａは光ディスクからの再生信号であり、斜線によって再生信号１を示している。波形ｂは高速ピーク検波回路２で得られた高速ピーク検波信号を、波形ｃは低速ピーク検波回路３で得られた低速ピーク検波信号を、ｄは出力波形ｃの電位を下げた波形を、波形ｅは比較器４の出力波形であるドロップアウト検出信号を、それぞれ示している。
【０００７】
図１７における区間Ｔ１は、ドロップアウトが発生していない通常の再生状態を示している。この状態では出力波形ｂの電位が波形ｄの電位より大きいことから、比較器４はローレベルを出力し、ドロップアウト検出信号ｅはローレベルを示すことになる。
【０００８】
区間Ｔ２においては、ドロップアウトが発生し、波形ａの明側が急激に下がる。また、出力波形ｂも波形ａの明側に追従して急激に下がるが、出力波形ｄは時定数が大きいことから出力波形ｂよりも緩やかな傾きで下がることになる。したがって、比較器４の入力において波形ｂの電位が波形ｄの電位より小さいことから、比較器４の出力はドロップアウト検出信号ｅに示すようにハイレベルを出力することになり、ドロップアウトが発生したことを検出することができる。
【０００９】
一方、区間Ｔ３は、ドロップアウト区間を過ぎた時点における波形を示していることから、出力波形ｂの電位は波形ｄの電位よりも大きく、通常の再生状態に戻っていることから、比較器４のドロップアウト検出信号ｅも元のローレベルに戻っている。
【００１０】
【発明が解決しようとする課題】
しかしながらここ数年、ＣＤ−Ｒ、ＣＤ−ＲＷ等、様々な記録状態を有するコンパクトディスクが普及するようになった。そのため、例えばＣＤ−ＲやＣＤ−ＲＷのように再生だけでなく記録も可能なディスク上における記録可能領域では、Ｂｕｆｆｅｒ　ｕｎｄｅｒ　ｒｕｎ　ｅｒｒｏｒにより記録済領域に未記録部分が存在することも生じうる。
【００１１】
上述するような構成において、記録済領域に未記録部分が存在するようなディスクを再生すると、ディスク上の未記録部分が原因となって、通常のドロップアウトとは異なり、再生信号の明側が一時的に増大するホワイトドロップアウト（Ｗｈｉｔｅ　Ｄｒｏｐ　ｏｕｔ：以下、「ＷＤＯ」という。）と呼ばれる現象が生じる。
【００１２】
そして、かかる現象により、実際はドロップアウトが発生していないにもかかわらず、ドロップアウト検出装置が誤動作し、ドロップアウト検出信号がハイレベルとなることによって、再生中にサーボが外れたり、音飛びしたりするという問題点が生じていた。また、ＷＤＯが生じた後、ドロップアウト検出装置が誤作動し、ドロップアウト検出信号がハイレベルとなっている間は、本来のドロップアウト信号の検出もできないという問題点も残されていた。
【００１３】
以下、高速ピーク検波回路２、低速ピーク検波回路３の実施例を図１９に示し、それらの動作について図１８を参照しながら説明する。
【００１４】
図１９において、高速ピーク検波回路２は、ダイオード７、電流源８、及びコンデンサ９とで構成されており、ダイオード７とコンデンサ９は光ディスクからの再生信号１における明側の値を保持し、電流源８はコンデンサ９を放電させるためのものである。低速ピーク検波回路３は、ダイオード１０、電流源１１、コンデンサ９より容量値の大きいコンデンサ１２、及びレベルシフト回路１３とで構成されており、ダイオード１０とコンデンサ１２は光ディスクからの再生信号１における明側の値を保持し、電流源１１はコンデンサ１２を放電させるためのものである。レベルシフト回路１３は、出力電圧をレベルシフトするものである。
【００１５】
図１８において、区間Ｔ４は未記録部分を示している。区間Ｔ４では、ＲＦ信号波形ａの反射光量が増大しており、ＷＤＯが発生している。このとき、図１９の高速ピーク検波回路２により得られる波形ｂはコンデンサ９に充電されるため、波形ｂの電位が上がり、波形ａの明側に追従した波形となる。低速ピーク検波回路３により得られる波形ｃにおいても、同様に波形ａの明側に追従するが、コンデンサ９よりコンデンサ１２の容量値が大きいため、低速ピーク検波の方が高速ピーク検波よりも追従が遅く、波形ｂよりも低い電位までしか追従しない。なお、波形ｄはレベルシフト回路１３を介した波形であり、波形ｃをレベルシフトしたものである。
【００１６】
未記録部分が終わるとＷＤＯも終わるため、区間Ｔ５では波形ａの明側は通常の位置に戻っている。しかし、波形ｂ及び波形ｃについては、それぞれコンデンサ９、あるいはコンデンサ１２に充電された電荷の放電を開始する。波形ｂの方が波形ｃよりも放電が早いため、この区間では高速ピーク検波回路２により得られる波形ｂの電位の方が低速ピーク検波回路３により得られる波形ｄの電位よりも大きいことから、比較器４の出力はローレベルとなっている。
【００１７】
区間Ｔ６においては、高速ピーク検波回路２、低速ピーク検波回路３の時定数の大きさの違いにより、波形ｂと波形ｄの放電スピードに違いがあるため、波形ｄの電位が波形ｂの電位よりも大きくなり、比較器４の出力には波形ｅに示すドロップアウト検出信号が、長時間に渡りハイレベルを出力し続けることになる。
【００１８】
区間Ｔ３においては、放電していた波形ｄの電位が、波形ｂの電位よりも小さくなるため、比較器４の出力は波形ｅに示すようにローレベルとなる。
【００１９】
このように、ドロップアウト検出信号が長時間ハイレベルを示すことによって、トラッキング系やフォーカス系のサーボ制御が行われなくなってしまうという問題が生ずることになる。
【００２０】
本発明は、上記問題点を解決するために、ＷＤＯが発生した場合であっても、ドロップアウト検出装置の誤動作を防ぎ、サーボの誤動作を防ぐことができる光ディスク装置を提供することを目的とする。
【００２１】
【課題を解決するための手段】
上記目的を達成するために本発明にかかる光ディスク装置は、光ディスクに記録されている情報を再生した再生信号の明側を検波する高速ピーク検波回路と、再生信号の明側を高速ピーク検波回路と異なる時定数で検波する低速ピーク検波回路と、高速ピーク検波回路において検波された高速ピーク検波信号と、低速ピーク検波回路において検波された低速ピーク検波信号とを比較し、低速ピーク検波信号の電位が前記高速ピーク検波信号の電位よりも大きい場合に、ドロップアウト状態であると判断してドロップアウト検出信号を出力する比較器とを含み、リミッター回路を低速ピーク検波回路の後に備え、低速ピーク検波信号を所定の電位にクリップすることを特徴とする。
【００２２】
かかる構成により、ＷＤＯが発生した場合、高速ピーク検波信号はＷＤＯに追従し、ピーク電位からある時定数で下がるが、低速ピーク検波信号はある一定の電位にクリップされるために所定の電位に保たれ、その後低速ピーク検波の時定数が大きいことから緩やかな傾きで下がる。したがって、レベルシフトした低速ピーク検波信号の電位は高速ピーク検波信号の電位よりも大きくなることがなく、ＷＤＯによるドロップアウトの誤検出信号が発生することがなくなり、サーボの誤動作も未然に防止することが可能となる。
【００２３】
また、本発明にかかる光ディスク装置は、リミッター回路を高速ピーク検波回路の後にも備え、高速ピーク検波信号についても所定の電位にクリップすることが好ましい。こうすることで、ＷＤＯが発生した場合、高速ピーク検波信号と低速ピーク検波信号が共にある一定の電位にクリップされるため、高速ピーク検波信号はＷＤＯによる放電時間が短縮され、ＷＤＯ後に本来のＢＤＯが発生してもＢＤＯを検出できないという不感帯の発生を防止することになる。また、低速ピーク検波信号もＷＤＯ発生時はある一定の電位にクリップされるため、その後大きな時定数によって緩やかな傾きで電位が減少し、レベルシフトした低速ピーク検波信号の電位が高速ピーク検波信号の電位よりも大きくなることがなく、ＷＤＯによるドロップアウトの誤検出信号が発生しなくなり、サーボが誤動作しない光ディスク装置を得ることができる。
【００２４】
また、本発明にかかる光ディスク装置は、光ディスクに記録されている情報を再生した再生信号の明側を検波する高速ピーク検波回路と、再生信号の明側を高速ピーク検波回路と異なる時定数で検波する低速ピーク検波回路と、高速ピーク検波回路において検波された高速ピーク検波信号と、低速ピーク検波回路において検波された低速ピーク検波信号とを比較し、低速ピーク検波信号の電位が高速ピーク検波信号の電位よりも大きい場合に、ドロップアウト状態であると判断してドロップアウト検出信号を出力する比較器とを含み、高速ピーク検波回路と低速ピーク検波回路の前に、反射光量増大により発生するドロップアウト信号を所定の電位にクリップするリミッター回路を挿入することを特徴とする。
【００２５】
かかる構成によっても、ＷＤＯが発生した場合、光ディスクからの再生信号がある一定の電位にクリップされるため、高速ピーク検波信号と低速ピーク検波信号が共にある一定の電位にクリップされ、上述した効果と同様の効果を奏することが期待できる。
【００２６】
また、本発明にかかる光ディスク装置は、光ディスクに記録されている情報を再生した再生信号の明側を検波する高速ピーク検波回路と、再生信号の明側を高速ピーク検波回路と異なる時定数で検波する低速ピーク検波回路と、高速ピーク検波回路において検波された高速ピーク検波信号と、低速ピーク検波回路において検波された低速ピーク検波信号とを比較し、低速ピーク検波信号の電位が高速ピーク検波信号の電位よりも大きい場合に、ドロップアウト状態であると判断してドロップアウト検出信号を出力する比較器と、光ディスクに記録されている情報を再生した再生信号の中に未記録部分が存在している場合に未記録部分を検出する未記録部分検出回路とを含み、未記録部分が検出された場合に、低速ピーク検波信号の電位をホールドすることを特徴とする。
【００２７】
かかる構成により、ＷＤＯが発生した場合、高速ピーク検波信号はＷＤＯに追従し、ピーク電位からある時定数で下がるが、未記録部分が検出されることから低速ピーク検波信号は未記録部分の間は電位がホールドされるので、レベルシフトした低速ピーク検波信号の電位が高速ピーク検波信号の電位よりも大きくなることがなく、ＷＤＯによるドロップアウト信号が誤検出されないことから、サーボが誤動作しない光ディスク装置を得ることができる。
【００２８】
また、本発明にかかる光ディスク装置は、未記録部分が検出された場合に、低速ピーク検波信号の電位のみならず、高速ピーク検波信号の電位もホールドすることが好ましい。このようにすることで、ＷＤＯが発生した場合、未記録部分検出回路によって未記録部分を検出するので、未記録部分の間は高速ピーク検波信号の電位と低速ピーク検波信号の電位が共にホールドされる。したがって、上述した効果と同様の効果を奏することが期待できる。
【００２９】
【発明の実施の形態】
（実施の形態１）
以下、本発明の実施の形態１にかかる光ディスク装置について、図面を参照しながら説明する。図１は、本発明の実施の形態１にかかる光ディスク装置の構成を示すブロック図である。
【００３０】
図１において、１は光ディスクからの再生信号を示しており、再生信号１の明側を高速で検波する高速ピーク検波回路２によって高速ピーク検波信号を得ることができ、再生信号１の明側を高速ピーク検波回路２とは異なる時定数で検波する低速ピーク検波回路３によって低速ピーク検波信号を得ることができる。そして、低速ピーク検波回路３の後にリミッター回路５を挿入することによって、ＷＤＯが発生した際に、ある一定の電位にクリップされた低速ピーク検波信号を得ることができる。
【００３１】
次に、高速ピーク検波信号と低速ピーク検波信号とを比較器４によって比較する。そして、低速ピーク検波信号の電位の方が高速ピーク検波信号の電位よりも大きい場合には、ドロップアウト状態であることを示すドロップアウト検出信号を出力するようになっている。
【００３２】
実際にＷＤＯが発生した際の各信号波形の動作について、図２を参照しながら説明する。図２において波形ａ〜ｅは全て同一時間、同一地点における波形を示している。また以後の説明図においても同様に波形ａ〜ｅは全て同一時間、同一地点における波形を示すものとする。
【００３３】
また、図３は、図１９に示す低速ピーク検波回路３にリミッター回路５を挿入した例示図である。リミッター回路５としては、ＰＮＰトランジスタ１４と基準電圧１５により構成されており、リミッター回路５によって低速ピーク検波信号がある一定電位にクリップされる構成となっている。
【００３４】
図２において、区間Ｔ７では再生信号波形ａが通常の再生状態であり、波形ｂ及び波形ｃは波形ａの明側を検波した波形となっている。波形ｄは波形ｃの電位を下げた波形である。
【００３５】
また、区間Ｔ８はディスク面上の未記録部分を示しており、波形ａにおいてＷＤＯが発生している。波形ｂは図３のコンデンサ９によって充電されるためにＷＤＯに追従している。波形ｃはＷＤＯに追従せず、リミッター回路５によってある一定の電位にクリップされた状態となっている。
【００３６】
さらに区間Ｔ９以降においては、ＷＤＯが終わり、波形ａの明側レベルは通常の再生状態に戻っている。波形ｂと波形ｃはＷＤＯが終わるとコンデンサ９とコンデンサ１２の放電が始まる。波形ｂは通常の電位まで下がり、波形ｃはコンデンサ１２の容量がコンデンサ９の容量よりも大きいため、区間Ｔ１０において、クリップした電位から波形ｂよりも緩やかな傾きで通常の電位まで下がる。それ以降の区間Ｔ１１では、波形ｃにおいても通常の再生状態に戻っている。
【００３７】
これより波形ｂと波形ｄを比較すると、低速ピーク検波回路３の後段にリミッター回路５を挿入することによって、波形ｂの電位より波形ｄの電位が常に小さくなり、出力波形ｅは常にローレベルとなる。
【００３８】
以上のように本実施の形態１によれば、ＷＤＯが発生した場合であっても、ドロップアウトの誤検出はなく、サーボが外れてしまうような事態が生じないという効果を奏する。
【００３９】
（実施の形態２）
上述した実施の形態１において、ＷＤＯ発生後に本来のドロップアウトが発生した場合の動作波形について、図４を参照しながら説明する。図４における区間Ｔ７〜区間Ｔ９において、各波形は図２と同様の動作をしているが、ＷＤＯ発生後に本来のドロップアウトが発生することで、波形ｂは波形ａの暗側まで高速ピーク検波の時定数に従って放電され、その後波形ａのドロップアウトに追従することになる。
【００４０】
したがって、区間Ｔ１２では、波形ｂの電位が波形ｄの電位よりも小さいことから、波形ｅに示すドロップアウト検出信号が検出されるが、波形ｂの放電中にドロップアウトが発生することから、本来のドロップアウトを完全に検出できない不感帯領域となる。また、波形ｄにおいてもＷＤＯ発生後に低速で放電している状態であることから、ドロップアウト検出信号を検出する検出感度が変動している。
【００４１】
このように本来のドロップアウトを検出できない区間を「不感帯領域」と呼び、具体的には図２に示す区間Ｔ９に示すような高速ピーク検波信号ｂの放電期間のことを意味している。すなわち、ＷＤＯが発生することによって波形ｂはＷＤＯに追従する。区間Ｔ９ではＷＤＯが終わることから、波形ｂの放電が始まる。したがって、区間Ｔ９で本来のドロップアウトが発生すると、ＷＤＯによる高速ピーク検波回路の放電作用が始まっているため、ドロップアウトが発生しているにもかかわらず、ドロップアウトに追従することができず、本来のドロップアウト検出ができない状態となっている。
【００４２】
かかる不感帯領域を少しでも狭くするべく、本発明の実施の形態２にかかる光ディスク装置について図面を参照しながら説明する。図５は、本発明の実施の形態２にかかる光ディスク装置の構成を示すブロック図である。
【００４３】
図５において、１は光ディスクからの再生信号を示しており、再生信号１の明側を高速で検波する高速ピーク検波回路２によって高速ピーク検波信号を得ることができ、再生信号１の明側を高速ピーク検波回路２とは異なる時定数で検波する低速ピーク検波回路３によって低速ピーク検波信号を得ることができる。
【００４４】
そして、高速ピーク検波回路２と低速ピーク検波回路３の後に、各々リミッター回路５を挿入することによって、ＷＤＯが発生した際に、ある一定の電位にクリップされた高速ピーク検波信号と低速ピーク検波信号を得ることが可能となる。
【００４５】
次に、高速ピーク検波信号と低速ピーク検波信号とを比較器４によって比較する。そして、低速検波ピーク信号の電位の方が高速検波ピーク信号の電位よりも大きい場合には、ドロップアウト状態を示すドロップアウト検出信号を出力するようになっている。
【００４６】
図６は、図３に示す高速ピーク検波回路２にリミッター回路５を挿入した例示図を示している。リミッター回路５は、ＰＮＰトランジスタ１６と基準電圧１７によって構成されており、リミッター回路５によって高速ピーク検波信号がある一定電位にクリップされる。従って、高速ピーク検波信号と低速ピーク検波信号がある一定電位にクリップされることになる。
【００４７】
実際にＷＤＯが発生した際における各信号波形の動作について、図７を参照しながら説明する。図７において、区間Ｔ７は通常の再生状態であり、図２と同様の動作を示している。
【００４８】
区間Ｔ８は、ディスク面上の未記録部分を示しており、再生信号波形ａにおいてＷＤＯが発生している。波形ｂと波形ｃは、ＷＤＯに追従せず、図６に示すリミッター回路５によってある一定の電位にクリップされた状態である。区間Ｔ９以降ではＷＤＯが終わり、波形ａの明側レベルは通常の再生状態に戻っている。
【００４９】
区間Ｔ９において、波形ｂは、ＷＤＯが終わったと同時にコンデンサ９の放電が始まることから通常の電位まで下がる。区間Ｔ９を含む区間Ｔ１０において、波形ｃはＷＤＯが終わると同時にコンデンサ１２の放電が始まる。波形ｃはコンデンサ１２の容量がコンデンサ９の容量よりも大きいため、クリップした電位から波形ｂよりも緩やかな傾きで通常の電位まで下がる。それ以降の区間Ｔ１１では、波形ｃにおいても通常の状態に戻っている。
【００５０】
これより波形ｂと波形ｄを比較すると、低速ピーク検波回路３にリミッター回路５を挿入することで、波形ｂの電位より波形ｄの電位が常に小さい状態となる。したがって、波形ｅが常にローレベルとなることから、ドロップアウトの誤検出は無く、サーボが外れてしまうような事態も生じない。さらに、高速ピーク検波回路２にもリミッター回路５を挿入したことによって、Ｔ９の期間に相当するＷＤＯ後の不感帯領域も狭くなる。
【００５１】
ここで、実際にＷＤＯ後に本来のＢＤＯが発生した場合の、動作波形について図８を参照しながら説明する。図８において、区間Ｔ７〜区間Ｔ９では、各波形が図７と同様の動作をする。ＷＤＯ後に本来のドロップアウトが発生することで、波形ｂは高速ピーク検波の時定数で放電され、その後波形ａの明側（ドロップアウト）に追従する。よって区間Ｔ１２では、波形ｂの電位が波形ｄの電位よりも小さいことから、波形ｅに示すドロップアウト検出信号が検出される。なお、波形ｄにおいては、ＷＤＯ後に低速で放電している状態であるため、通常時より多少検出する感度が変わる傾向にあり、本来と同等のドロップアウト検出信号を検出することはないが、図８の波形ｅに示す程度であれば問題ない。区間Ｔ１１では全ての波形において通常の再生状態に戻る。
【００５２】
以上のように本実施の形態２によれば、ドロップアウトの誤検出はなく、サーボが外れてしまうような事態も生じない。また実施の形態１よりも不感帯領域が狭くなるため、ＷＤＯ後に本来のドロップアウトが発生した場合でもドロップアウト検出信号を検出することができる。
【００５３】
（実施の形態３）
以下、本発明の実施の形態３にかかる光ディスク装置について図面を参照しながら説明する。図９は、本発明の実施の形態３にかかる光ディスク装置の構成を示すブロック図である。
【００５４】
図９において、１は光ディスクからの再生信号を示しており、再生信号１の明側を高速で検波する高速ピーク検波回路２によって高速ピーク検波信号を得ることができ、再生信号１の明側を高速ピーク検波回路２とは異なる時定数で検波する低速ピーク検波回路３によって低速ピーク検波信号を得ることができる。そして、高速ピーク検波回路２と低速ピーク検波回路３の前にリミッター回路５を挿入することにより、ＷＤＯが発生した際に、ある一定の電位にクリップされた高速ピーク検波信号と低速ピーク検波信号を得ることができる。
【００５５】
次に、高速ピーク検波信号と低速ピーク検波信号とを比較器４によって比較する。そして、低速ピーク検波信号の電位の方が高速ピーク検波信号の電位より大きい場合には、ドロップアウト状態を示すドロップアウト検出信号を出力するようになっている。
【００５６】
実際にＷＤＯが発生した際の各信号波形の動作について、図１０を参照しながら説明する。図１０に示すように、本実施の形態３で得ることができる各信号波形の動作は、波形ａ以外の全ての波形において、実施の形態２にかかる光ディスク装置の動作と同等である。
【００５７】
波形ａについては、区間Ｔ７では通常の再生状態である。区間Ｔ８の未記録部分においてはＷＤＯが発生するが、リミッター回路５によってある一定の電位にクリップされた状態となっている。区間Ｔ９以降は通常の再生状態に戻っている。
【００５８】
したがって、図１０の波形ｅに示すようにドロップアウトを誤検出することはなく、サーボが外れてしまうような事態も生じない。また、区間Ｔ９に相当するＷＤＯ後の不感帯領域も狭くなるため、実施の形態２と同様の効果をリミッター回路を１つ追加するだけで得ることができるというメリットを有する。
【００５９】
（実施の形態４）
上述した実施の形態１から３においては、再生信号１に大きいＤＣオフセットがある場合は、ＤＣオフセットが発生しないように再生信号１を生じる回路に高い精度が必要となる。
【００６０】
例えば本発明の実施の形態３において、実際に再生信号１にマイナス側の大きいＤＣオフセットが発生した場合の各信号波形の動作について、図１１を参照しながら説明する。
【００６１】
図１１において、マイナス側に大きいＤＣオフセットが発生すると、再生信号波形ａ’の基準レベルが下がるが、リミッター回路５によってある一定電位にクリップされていた電位は変わらないことから、ＷＤＯ後にドロップアウト検出信号が長時間ハイレベルとなってしまう。したがって、図１８に示した従来方法と同等の動作となり、ＤＣオフセットが大きければ大きいほど、ＷＤＯによってドロップアウト検出信号をより長時間誤検出する。
【００６２】
以下、本発明の実施の形態４にかかる光ディスク装置について、図面を参照しながら説明する。図１２は、本発明の実施の形態４にかかる光ディスク装置の構成を示すブロック図である。
【００６３】
図１２において、１は光ディスクからの再生信号を示しており、再生信号１の明側を高速で検波する高速ピーク検波回路２によって高速ピーク検波信号を得ることができ、再生信号１の明側を高速ピーク検波回路２と異なる時定数で検波する低速ピーク検波回路３によって低速ピーク検波信号を得ることができる。
【００６４】
さらに、再生信号１に未記録部分が存在している場合に対応するために、当該未記録部分を検出する未記録部分検出回路６が設けられている。すなわち、未記録部分によるＷＤＯが発生した際に、未記録部分検出回路６によって低速ピーク検波回路３が通常の値を保持するように制御される。
【００６５】
次に、未記録部分において、高速ピーク検波信号と未記録部分検出回路６によって制御された低速ピーク検波信号とを比較器４によって比較する。そして、低速ピーク検波信号の電位の方が高速ピーク検波信号の電位より大きい場合には、ドロップアウト状態を示すドロップアウト検出信号を出力するようになっている。
【００６６】
実際にＷＤＯが発生した際の各信号波形の動作について図１３を参照しながら説明する。ここで波形ｆは、未記録部分を検出する信号であり、２値の信号である。また、波形ａ〜ｅと同様、同一時間軸の波形を示している。
【００６７】
図１３において、区間Ｔ７では各波形は通常の再生状態である。波形ｆは、波形ａが通常の再生状態であるため、ローレベルを示している。区間Ｔ８は未記録部分を示しており、波形ａにおいてＷＤＯが発生している。波形ｂは図６に示すコンデンサ９によってＷＤＯに追従している。波形ｆでは未記録部分を検出し、ハイレベルとなっている。したがって、波形ｃでは、ＷＤＯに追従することなく、未記録部分検出回路６によって通常の電位に保持された状態となる。
【００６８】
区間Ｔ９以降ではＷＤＯが終わり、波形ａの明側レベルは通常の再生状態に戻っている。波形ｂはＷＤＯが終わったと同時にコンデンサ９の放電が始まり、通常の電位まで下がる。波形ｃは、波形ａが通常の再生状態となっているため、波形ａの明側を低速でピーク検波された波形となっている。区間Ｔ９以降の区間Ｔ１１では、全ての波形が通常の再生状態であることを示している。
【００６９】
これより波形ｂと波形ｄを比較すると、未記録部分検出回路６を挿入することによって、波形ｂの電位より波形ｄの電位が常に小さい状態となることから、波形ｅは常にローレベルとなる。したがって、ドロップアウト検出信号の誤検出はなく、サーボが外れてしまうような事態も生じない。
【００７０】
（実施の形態５）
以下、本発明の実施の形態５にかかる光ディスク装置について、図面を参照しながら説明する。図１４は、本発明の実施の形態５にかかる光ディスク装置の構成を示すブロック図である。
【００７１】
図１４において、１は光ディスクからの再生信号を示しており、再生信号１の明側を高速で検波する高速ピーク検波回路２によって高速ピーク検波信号を得ることができ、再生信号１の明側を高速ピーク検波回路２と異なる時定数で検波する低速ピーク検波回路３によって低速ピーク検波信号を得ることができる。さらに、再生信号１に未記録部分が存在している場合に当該未記録部分を検出するために未記録部分検出回路６が設けられている。未記録部分によるＷＤＯが発生した際に、未記録部分検出回路６によって高速ピーク検波回路２と低速ピーク検波回路３が通常の値を保持するよう制御されることになる。
【００７２】
次に、未記録部分において、未記録部分検出回路６によって制御された高速ピーク検波信号と低速ピーク検波信号とを比較器４によって比較する。そして、低速ピーク検波信号の電位の方が高速ピーク検波信号の電位より大きい場合には、ドロップアウト状態を示すドロップアウト検出信号を出力する。
【００７３】
実際にＷＤＯが発生した際の各信号波形の動作について、図１５を参照しながら説明する。図１５において、区間Ｔ７では各波形が通常の再生状態となっている。区間Ｔ８は未記録部分を示しており、波形ａにおいてＷＤＯが発生している。波形ｆでは未記録部分を検出し、ハイレベルとなっている。
【００７４】
したがって、波形ｂと波形ｃではＷＤＯに追従せず、未記録部分検出回路６によって通常の電位に保持された状態となる。区間Ｔ９以降ではＷＤＯが終わり、波形ａの明側レベルも通常の再生状態に戻っている。波形ｂと波形ｃは、波形ａが通常の再生状態となっているため、波形ａの明側を低速でピーク検波された波形となっている。区間Ｔ９以降の区間Ｔ１１では、全ての波形において通常の再生状態となっている。
【００７５】
これより波形ｂと波形ｄを比較すると、未記録部分検出回路６を挿入することによって、波形ｂの電位より波形ｄの電位が常に小さい状態となることから、波形ｅは常にローレベルとなる。したがって、ドロップアウト検出信号の誤検出はなく、サーボが外れてしまうような事態も生じない。
【００７６】
また、高速ピーク検波回路と低速ピーク検波回路を共に制御することで、実施の形態４で発生していた不感帯領域も無くなることから、ＷＤＯ後に本来のドロップアウトが発生した場合においても検出感度は変わらない。
【００７７】
さらに、実施の形態４及び５では、再生信号１においてＤＣオフセットが発生した場合であっても、ＤＣオフセットの影響を受けることがないため、各実施の形態にてＤＣオフセットが生じた場合においても図１１あるいは図１３と同等の動作となる。
【００７８】
【発明の効果】
以上のように本発明にかかる光ディスク装置によれば、光ディスクからの再生信号の中に未記録部分が存在している場合においても、リミッター回路を挿入する方法、あるいは未記録部分検出回路を挿入する方法を用いることによって、ドロップアウト検出信号の誤検出を防止し、サーボが外れてしまうような事態が生じなくなる。
【図面の簡単な説明】
【図１】本発明の実施の形態１にかかる光ディスク装置の構成を示すブロック図
【図２】本発明の実施の形態１における入力信号にＷＤＯが発生した場合の動作を説明する信号波形図
【図３】本発明の実施の形態１における高速ピーク検波回路と低速ピーク検波回路の構成例示図
【図４】本発明の実施の形態１における入力信号にＷＤＯが発生し、その後本来のドロップアウトが発生した場合の動作を説明する信号波形図
【図５】本発明の実施の形態２にかかる光ディスク装置の構成を示すブロック図
【図６】本発明の実施の形態２における高速ピーク検波回路と低速ピーク検波回路の構成例示図
【図７】本発明の実施の形態２における入力信号にＷＤＯが発生した場合の動作を説明する信号波形図
【図８】本発明の実施の形態２における入力信号にＷＤＯが発生し、その後本来のドロップアウトが発生した場合の動作を説明する信号波形図
【図９】本発明の実施の形態３にかかる光ディスク装置の構成を示すブロック図
【図１０】本発明の実施の形態３における入力信号にＷＤＯが発生した場合の動作を説明する信号波形図
【図１１】本発明の実施の形態３における入力信号がマイナス側に大きいＤＣオフセットを持っている場合の動作を説明する信号波形図
【図１２】本発明の実施の形態４にかかる光ディスク装置の構成を示すブロック図
【図１３】本発明の実施の形態４における入力信号にＷＤＯが発生した場合の動作を説明する信号波形図
【図１４】本発明の実施の形態５にかかる光ディスク装置の構成を示すブロック図
【図１５】本発明の実施の形態における入力信号にＷＤＯが発生した場合の動作を説明する信号波形図
【図１６】従来の光ディスク装置の構成を示すブロック図
【図１７】従来の光ディスク装置における通常のドロップアウトが発生した場合の動作を説明する信号波形図
【図１８】従来の光ディスク装置における入力信号にＷＤＯが発生した場合の動作を説明する信号波形図
【図１９】高速ピーク検波回路と低速ピーク検波回路の構成例示図
【符号の説明】
１　再生信号
２　高速ピーク検波回路
３　低速ピーク検波回路
４　比較器
５　リミッター回路
６　未記録部分検出回路
７、１０　ダイオード
８、１１　電流源
９、１２　コンデンサ
１３　レベルシフト回路
１４、１６　ＰＮＰトランジスタ
１５、１７　基準電源
ａ、ａ’　再生信号波形
ｂ、ｂ’　高速ピーク検波信号波形
ｃ、ｃ’　低速ピーク検波信号波形
ｄ、ｄ’　レベルシフトした低速ピーク検波信号波形
ｅ　ドロップアウト検出信号波形
ｆ　未記録部分検出信号波形
【図１】
2004071035.tif 000003
【図２】
2004071035.tif 000004
【図３】
2004071035.tif 000005
【図４】
2004071035.tif 000006
【図５】
2004071035.tif 000007
【図６】
2004071035.tif 000008
【図７】
2004071035.tif 000009
【図８】
2004071035.tif 000010
【図９】
2004071035.tif 000011
【図１０】
2004071035.tif 000012
【図１１】
2004071035.tif 000013
【図１２】
2004071035.tif 000014
【図１３】
2004071035.tif 000015
【図１４】
2004071035.tif 000016
【図１５】
2004071035.tif 000017
【図１６】
2004071035.tif 000018
【図１７】
2004071035.tif 000019
【図１８】
2004071035.tif 000020
【図１９】
2004071035.tif 000021